(57)【要約】【課題】三相交流電源と単相三線式交流電源とを同時に利用でき、出力電圧が自由に設定され、特に、電圧仕様が多様な海外事情への対応を容易にする。【解決手段】本発明の交流発電機は、巻始端から巻終端まで巻回された３つの電機子巻線ａ，ｂ，およびｃが、巻数同一で互いに１２０度の位相差でＹ結線された固定子を有している。前記巻始端のそれぞれは、中性点Ｏに接続され、前記巻終端のそれぞれに３つの三相出力端子Ｒ，Ｓ，およびＴが、接続されている。この交流発電機の特徴は、前記３つの電機子巻線ａ，ｂ，およびｃのうち、２つ、例えば、ａ，ｂは、巻始端から巻終端までの所定の位置（図１では巻終端側に近い中間点であって、巻数の等しい位置）に配設されたタップ部Ｈ１，Ｈ２と、タップ部Ｈ１，Ｈ２に一方の端子が接続される一方、他方の端子が単相出力端子とする電機子延在巻線ｄ１，ｄ２と、をそれぞれ備える。【選択図】　図１
2004072985.tif 000002
【特許請求の範囲】
【請求項１】
三相交流電力を出力する三相電源と、単相交流電力を出力する単相三線式電源とを有する交流発電機であって、
前記三相電源は、中性点に接続された巻始端から巻終端まで巻回された３つの電機子巻線（ａ，ｂ，ｃ）が、巻数同一で互いに１２０度（電気角）の位相差で前記中性点にＹ結線するように構成され、
前記３つの電機子巻線のうち、２つ（ａ，ｂ）のそれぞれには、前記中性点側の巻始端からの巻数の等しい所定の位置にタップ部（Ｈ１，Ｈ２）が、それぞれ設けられ、
前記タップ部（Ｈ１，Ｈ２）と、前記中性点との間にあり、前記２つの電機子巻線（ａ，ｂ）の一部を（ｈ１，ｈ２）とし、
前記２つの電機子巻線の一部（ｈ１，ｈ２）の半分の巻数を有する電機子延在巻線（ｄ１，ｄ２）が、前記２つ以外の残りの電機子巻線（ｃ）と電気的に同相となるよう前記タップ部に延在するよう接続され、
これにより、前記電機子延在巻線（ｄ１，ｄ２）のそれぞれは、前記タップ部（Ｈ１，Ｈ２）を介して前記２つの電機子巻線（ａ，ｂ）の一部（ｈ１，ｈ２）と、前記中性点と共に結線される結果、前記単相三線式電源が、構成されることを特徴とする交流発電機。
【請求項２】
前記タップ部のそれぞれの所定の位置は、前記巻終端側の端子であり、
これにより、前記２つの電機子巻線（ａ，ｂ）はその一部（ｈ１，ｈ２）と同一となり、前記電機子延在巻線（ｄ１，ｄ２）のそれぞれは、前記端子に位置するタップ部（Ｈ１，Ｈ２）を介して前記２つの電機子巻線（ａ，ｂ）と、前記中性点と共に結線される結果、前記単相三線式電源が、構成されることを特徴とする請求項１に記載の交流発電機。
【請求項３】
三相交流電力を出力する三相電源と、単相交流電力を出力する単相三線式電源とを有する交流発電機であって、
前記三相電源は、中性点に接続された巻始端から巻終端まで巻回された３つの電機子巻線（ａ，ｂ，ｃ）が、巻数同一で互いに１２０度（電気角）の位相差で前記中性点にＹ結線するように構成され、
前記３つの電機子巻線のうち、２つ（ａ，ｂ）のそれぞれには、前記中性点側の巻始端からの巻数の等しい所定の位置にタップ部（Ｈ３，Ｈ４）が、それぞれ設けられ、
前記タップ部（Ｈ３，Ｈ４）と、前記中性点との間にあり、前記２つの電機子巻線（ａ，ｂ）の一部を（ｈ３，ｈ４）とし、
前記２つの電機子巻線の一部（ｈ３，ｈ４）と同一の巻数を有する電機子延在巻線（ｄ３，ｄ４）が、前記（ｄ３）は、前記電機子巻線ｂに対して電気的に逆相となるよう前記タップ部Ｈ３に接続され、前記（ｄ４）は、前記電機子巻線ａに対して電気的に逆相となるよう前記タップ部Ｈ４に接続され、
これにより、前記電機子延在巻線（ｄ３，ｄ４）のそれぞれは、前記タップ部（Ｈ３，Ｈ４）を介して前記２つの電機子巻線（ａ，ｂ）の一部（ｈ３，ｈ４）と、前記中性点と共に結線される結果、前記単相三線式電源が、構成されることを特徴とする交流発電機。
【請求項４】
前記タップ部（Ｈ３，Ｈ４）のそれぞれの所定の位置は、前記２つの電機子巻線（ａ，ｂ）の巻数を二等分する位置であり、
これにより、前記電機子延在巻線（ｄ３，ｄ４）のそれぞれは、前記タップ部（Ｈ３，Ｈ４）を介して前記２つの電機子巻線（ａ，ｂ）と、前記中性点と共に結線される結果、前記単相三線式電源が、構成されることを特徴とする請求項３に記載の交流発電機。
【発明の詳細な説明】
【０００１】
【発明の属する技術分野】
本発明は、交流発電機に関し、特に、交流発電機用電源に関する。
【０００２】
【従来の技術】
この種の交流発電機は、工事現場や各種イベント会場などで使用される動力用の２００Ｖ三相電源の他に、照明や電熱器具用の１００Ｖ単相電源および２００Ｖ単相電源も兼ね備えているものが要求されることが多い。このような要求に応えるために、例えば、図１０ないし図１２に示すような従来例の発電装置が特開昭６３−８７１５７号公報として開示されている。
【０００３】
すなわち、図１０において、従来例は、互いに１２０度（電気角）の位相差で中性点Ｏに接続した電機子巻線Ｕ、Ｖ、Ｗから成る三相の固定子のうち、例えば電機子巻線ＷをＷ１とＷ２とに二等分割し、電機子巻線Ｗ１とＷ２とを直列に接続するだけでなく、電機子巻線Ｗ１のみ逆位相（破線で図示）にして中性点Ｏに接続するための接続切り替え装置（図示せず）を持つ構成を備えている。この接続切り替え装置の切り替え操作により、電機子巻線Ｗ１とＷ２とを直列に接続した場合には、三相電源として使用でき、図１１の電圧ベクトルに示されるように、端子Ｌ１、Ｌ２、Ｌ３から２００Ｖの三相交流電力が出力される。
【０００４】
一方、接続切り替え装置（図示せず）の切り替え操作により、電機子巻線Ｗ１のみが逆位相にされ中性点Ｏに接続される場合には、図１２の電圧ベクトルに示されるように、単相三線式電源として使用でき、端子Ｌ１と端子Ｎとの間、および端子Ｌ２と端子Ｎとの間から１００Ｖの単相交流電力が、端子Ｌ１と端子Ｌ２との間から２００Ｖの単相交流電力が出力される。ところで、図１０のように、中性点Ｏには、接地線Ｌｅ、Ｌｅ′および中性端子Ｎを持つ中性線がそれぞれ接続され、接地線が大地に接続されるが、単相三線式電源に切り替えられると同時に接地線Ｌｅが切り離され、中性端子Ｎに接地線Ｌｅ′が接続されこの接地線を介して大地に接地されている。
【０００５】
【発明が解決しようとする課題】
しかしながら、前記従来例では、次のような問題がある。
【０００６】
▲１▼　従来例の接続切り替え装置は、出力する電力量を許容できる接点容量を持つ切り替えスイッチを必要とする。その結果、コストが高くなるだけでなく、電気配線も複雑になる。
【０００７】
▲２▼　従来例で単相三線式電源を構成した場合、単相三線式電源の中性線の端子Ｎすなわち中性端子には、逆相にした電機子巻線の電圧が現れる結果、大地と同電位であるという中性点の性質が失われる。そこで、接地線Ｌｅの接続を中性点Ｏから端子Ｎに切り替えることが行われるが、このことは▲１▼の問題に拍車をかける。
【０００８】
▲３▼　従来例では、三相電源と単相三線式電源との交流電力を同時に出力できず、交流発電機の利用率も低くなる。
【０００９】
▲４▼　従来例では、三相電源の電機子巻線を２つに分離して切り替え操作して単相三線式電源にする構成のため、単相三線式電源の電機子巻線の巻数が三相電源の電機子巻線の巻数に依存している結果、三相電源から単相三線式電源の出力電圧を自由に設定できず、特に、電圧仕様が多様な海外事情への対応を困難にしている。
【００１０】
そこで、本発明の課題は、切り替えスイッチを必要とせず、三相電源と単相三線式電源との交流電力を同時に出力でき利用率が高く、しかも、単相三線式電源の電機子巻線の巻数が三相電源の電機子巻線の巻数に依存せず、三相電源から単相三線式電源の出力電圧を自由に設定でき、特に、電圧仕様が多様な海外事情への対応を容易にすることができる交流発電機を提供することにある。
【００１１】
【課題を解決するための手段】
前記課題を解決した本発明のうちの請求項１に記載の発明は、三相交流電力を出力する三相電源と、単相交流電力を出力する単相三線式電源とを有する交流発電機であって、前記三相電源は、中性点に接続された巻始端から巻終端まで巻回された３つの電機子巻線（ａ，ｂ，ｃ）が、巻数同一で互いに１２０度の位相差で前記中性点にＹ結線するように構成され、前記３つの電機子巻線のうち、２つ（ａ，ｂ）のそれぞれには、前記中性点側の巻始端からの巻数の等しい所定の位置にタップ部（Ｈ１，Ｈ２）が、それぞれ設けられ、前記タップ部（Ｈ１，Ｈ２）と、前記中性点との間で、前記２つの電機子巻線（ａ，ｂ）の一部を（ｈ１，ｈ２）とし、前記２つの電機子巻線の一部（ｈ１，ｈ２）の半分の巻数を有する電機子延在巻線（ｄ１，ｄ２）が、前記２つ以外の残りの電機子巻線（ｃ）と電気的に同相になるよう前記タップ部に延在するよう接続され、これにより、前記電機子延在巻線（ｄ１，ｄ２）のそれぞれは、前記タップ部（Ｈ１，Ｈ２）を介して前記２つの電機子巻線（ａ，ｂ）の一部（ｈ１，ｈ２）と、前記中性点と共に結線される結果、前記単相三線式電源が、構成されることを特徴とする交流発電機である。
【００１２】
また、請求項２に記載の発明は、前記タップ部のそれぞれの所定の位置は、前記巻終端側の端子であり、これにより、前記２つの電機子巻線（ａ，ｂ）はその一部（ｈ１，ｈ２）と同一となり、前記電機子延在巻線（ｄ１，ｄ２）のそれぞれは、前記端子に位置するタップ部（Ｈ１，Ｈ２）を介して前記２つの電機子巻線（ａ，ｂ）と、前記中性点と共に結線される結果、前記単相三線式電源が、構成されることを特徴とする請求項１に記載の交流発電機である。
【００１３】
さらに、請求項３に記載の発明は、三相交流電力を出力する三相電源と、単相交流電力を出力する単相三線式電源とを有する交流発電機であって、前記三相電源は、中性点に接続された巻始端から巻終端まで巻回された３つの電機子巻線（ａ，ｂ，ｃ）が、巻数同一で互いに１２０度（電気角）の位相差で前記中性点にＹ結線するように構成され、前記３つの電機子巻線のうち、２つ（ａ，ｂ）のそれぞれには、前記中性点側の巻始端からの巻数の等しい所定の位置にタップ部（Ｈ３，Ｈ４）が、それぞれ設けられ、前記タップ部（Ｈ３，Ｈ４）と、前記中性点との間にあり、前記２つの電機子巻線（ａ，ｂ）の一部を（ｈ３，ｈ４）とし、前記２つの電機子巻線の一部（ｈ３，ｈ４）と同一の巻数を有する電機子延在巻線（ｄ３，ｄ４）が、前記（ｄ３）は、前記電機子巻線ｂに対して電気的に逆相となるよう前記タップ部Ｈ３に接続され、前記（ｄ４）は、前記電機子巻線ａに対して電気的に逆相となるよう前記タップ部Ｈ４に接続され、これにより、前記電機子延在巻線（ｄ３，ｄ４）のそれぞれは、前記タップ部（Ｈ３，Ｈ４）を介して前記２つの電機子巻線（ａ，ｂ）の一部（ｈ３，ｈ４）と、前記中性点と共に結線される結果、前記単相三線式電源が、構成されることを特徴とする交流発電機である。
【００１４】
そのうえ、請求項４に記載の発明は、前記タップ部（Ｈ３，Ｈ４）のそれぞれの所定の位置は、前記２つの電機子巻線（ａ，ｂ）の巻数を二等分する位置であり、これにより、前記電機子延在巻線（ｄ３，ｄ４）のそれぞれは、前記タップ部（Ｈ３，Ｈ４）を介して前記２つの電機子巻線（ａ，ｂ）と、前記中性点と共に結線される結果、前記単相三線式電源が、構成されることを特徴とする請求項３に記載の交流発電機である。
【００１５】
本発明によれば、常時、三相電源と単相三線式電源との出力が同時に生じるように作用する。その結果、三相電源と単相三線式電源とを切り替える必要はなくなり、利用効率も増加する。
【００１６】
また、タップ部は、所定の位置を自由に設定でき、その結果、出力電圧が自由に設定され、特に、電圧仕様が多様な海外事情への対応が容易になる。
【００１７】
【発明の実施の形態】
以下、図面を参照して、本発明の実施の形態に係る交流発電機の詳細について説明する。
【００１８】
図１は、本発明の第１実施の形態に係る交流発電機の回路図で、請求項１に係る実施例である。図２は、図１の交流発電機を駆動した時の各電機子巻線に発生する電圧の関係を示すベクトル図である。
【００２０】
図１の交流発電機は、中性点Ｏに接続された巻始端から巻終端まで巻回された３つの電機子巻線ａ，ｂ，およびｃが、巻数同一で互いに１２０度の位相差でＹ結線された固定子を有し、三相電源を構成している。中性点Ｏには必要に応じて接地線Ｌｅを接続する。
【００２１】
この交流発電機の特徴は、前記３つの電機子巻線ａ，ｂ，およびｃのうち、ａ，ｂには、巻始端すなわち中性点Ｏから巻終端までの所定の位置（図１では巻終端側に近い中間点であって、巻数の等しい位置）に配設されたタップ部Ｈ１，Ｈ２と、タップ部Ｈ１，Ｈ２に一方の端子が接続されるとともに、他方の端子Ｌ１，Ｌ２を単相出力端子とする電機子延在巻線ｄ１，ｄ２と、をそれぞれ備えることである。電機子延在巻線ｄ１，ｄ２は、電機子巻線ｈ１、ｈ２の半分の巻数を有し、図２では電圧ベクトルＥｄ１、Ｅｄ２で図示され、図１では電機子巻線ｃ（図２ではベクトルＥｃで図示されている。）に対して同相に設定している。
【００２２】
図２を参照して、この交流発電機を駆動した時は、３相の電圧ベクトルＥａ，Ｅｂ，およびＥｃが発生し、端子Ｒ・Ｓ間、端子Ｓ・Ｔ間、および端子Ｔ・Ｕ間には隣接する相間の合成ベクトルとして、破線で表された電圧ベクトルＥａｂ、電圧ベクトルＥｂｃ（図示せず）、電圧ベクトルＥｃａ（図示せず）が発生する。
【００２３】
一方、電機子延在巻線ｄ１およびｄ２のそれぞれには、電圧ベクトルＥｃと同相のＥｄ１およびＥｄ２が発生する。また、電機子巻線ｈ１には電圧ベクトルＥａと同相の電圧ベクトルＥｈ１が発生し、電機子巻線ｈ２には電圧ベクトルＥｂと同相の電圧ベクトルＥｈ２が発生する。各ベクトルの大きさには、
２｜Ｅｄ１｜＝２｜Ｅｄ２｜＝｜Ｅｈ１｜＝｜Ｅｈ２｜
の関係がある。これらのベクトル演算から、電圧ベクトルＥｄ１とＥｈ１との合成ベクトルの電圧ベクトルＥ１は、Ｅ２と等しく、Ｅ３の大きさは、Ｅ１またはＥ２の大きさの２倍であることが導出される。すなわち、電圧ベクトルＥ１，Ｅ２，およびＥ３が端子Ｌ１、Ｌ２、および中性点Ｏから単相三線式電源の単相交流電力として出力される。
【００２４】
また、タップ部Ｈ１，Ｈ２の所定の位置は、三相電源の電機子巻線の電圧ベクトルＥａｂ、Ｅｂｃ（図示せず）、Ｅｃａ（図示せず）に依存せずに、所望の位置に設定することができる。
【００２５】
図３は、本発明の第２実施の形態に係る交流発電機の回路図で、請求項２に係る実施例である。図４は、図３の交流発電機を駆動した時の各電機子巻線に発生する電圧の関係を示すベクトル図である。
【００２６】
図３の交流発電機は、タップ部Ｈ１の所定の位置が端子Ｒと同一位置であることを特徴としている。図４の電圧ベクトルＥａｂの大きさを２００Ｖに設定すれば、図３の端子Ｒ、Ｓ、Ｔから２００Ｖの三相交流電力が出力され、同時に、端子Ｌ１・中性点Ｏ間および端子Ｌ２・中性点Ｏ間からそれぞれ１００Ｖの単相交流電力が出力され、端子Ｌ１・端子Ｌ２間から２００Ｖの単相交流電力が出力される。
【００２７】
図５は、本発明の第３実施形態に係る交流発電機の回路である。過電流保護用のＭＣＣＢ（配線用遮断機）が端子Ｒ，Ｓ，Ｔと電機子巻線ａ，ｂ，ｃとの間に介在させたことを特徴とする。ＭＣＣＢは、電力の通路である回路を開閉するためのもので、図２または図４に示した電圧ベクトルはＭＣＣＢの有無によって全く影響を受けない。従って、従来周知の技術の範囲内で必要な箇所にＭＣＣＢを配設できる。
この事情は以降の実施例においても同様である。
【００２８】
図６は、本発明の第４実施の形態に係る交流発電機の回路図で、請求項３に係る実施例である。図７は、図６の交流発電機を駆動した時の各電機子巻線に発生する電圧の関係を示すベクトル図である。
【００２９】
図６の交流発電機は、中性点Ｏに接続された巻始端から巻終端まで巻回された３つの電機子巻線ａ，ｂ，およびｃが、巻数同一で互いに１２０度の位相差でＹ結線された固定子を有し、三相電源を構成している。中性点Ｏには必要に応じて接地線Ｌｅを接続する。
【００３０】
この交流発電機の特徴は、前記３つの電機子巻線ａ，ｂ，およびｃのうち、ａ，ｂには、巻始端すなわち中性点Ｏから巻終端までの所定の位置（図６では巻始端側に近い中間点であって、巻数の等しい位置）に配設されたタップ部Ｈ３，Ｈ４と、タップ部Ｈ３，Ｈ４に一方の端子が接続されるとともに、他方の端子Ｌ１，Ｌ２を単相出力端子とする電機子延在巻線ｄ３，ｄ４と、をそれぞれ備え、電機子巻線ｈ３と、ｄ３とは、巻数が同一で、電機子巻線ｈ４と、ｄ４とも、巻数が同一である。そして、電機子延在巻線ｄ３、ｄ４は、電機子巻線ａ，ｂに対して電気的に逆相に接続されていることを特徴としている。
【００３１】
図７を参照して、電機子巻線ｄ３には、電圧ベクトルＥｂに対して逆相の電圧ベクトルＥｄ３が発生し、電機子巻線ｄ４には電圧ベクトルＥａに対して逆相の電圧ベクトルＥｄ４が発生する。また、電機子巻線ｈ３には、電圧ベクトルＥａと同相の電圧ベクトルＥｈ３が発生し、電機子巻線ｈ４には、電圧ベクトルＥｂと同相の電圧ベクトルＥｈ４が発生する。各ベクトルの大きさには
｜Ｅｄ３｜＝｜Ｅｄ４｜＝｜Ｅｈ３｜＝｜Ｅｈ４｜
の関係がある。これらのベクトル演算から、電圧ベクトルＥｄ３とＥｈ３との合成ベクトルの電圧ベクトルＥ１は、Ｅ２と等しく、Ｅ３の大きさは、Ｅ１またはＥ２の大きさの２倍であることが導出される。すなわち、電圧ベクトルＥ１，Ｅ２，およびＥ３が端子Ｌ１、Ｌ２、および中性点Ｏから単相三線式電源の単相交流電力として出力される。
【００３２】
また、タップ部Ｈ３およびＨ４の位置を変えることにより、単相三線式電源の電圧ベクトルＥ１，Ｅ２，Ｅ３の大きさを三相電源の電圧ベクトルＥａｂ，Ｅｂｃ（図示せず），Ｅｃａ（図示せず）に依存せず、独立させて所望の値に設定できる。
【００３３】
図８は本発明の第５実施の形態に係る交流発電機の回路図で、請求項４に係る実施例である。図９は、図８の交流発電機を駆動した時の各電機子巻線に発生する電圧の関係を示すベクトル図である。
【００３４】
図８では、図６のタップ部Ｈ３を電機子巻線ａの巻数を二等分する位置に設け、タップ部Ｈ４を電機子巻線ｂの巻数を二等分する位置に設けた例である。図９を参照して、端子Ｒ・Ｓ間、端子Ｓ・Ｔ間、および端子Ｔ・Ｒ間の電圧ベクトルＥａｂ、Ｅｂｃ（図示せず）、Ｅｃａ（図示せず）の大きさを２００Ｖに設定すれば、図８に示すように、端子Ｒ、Ｓ、Ｔから２００Ｖの三相交流電力が出力され、同時に、端子Ｌ１・中性点Ｏ間および端子Ｌ２・中性点Ｏ間からそれぞれ１００Ｖの単相交流電力が出力され、端子Ｌ１・端子Ｌ２間から２００Ｖの単相交流電力が出力される。
【００３５】
以上、上述した実施の形態は、電圧ベクトルを２００Ｖと１００Ｖとに限定して説明したが、本発明はこれらに限定されず、様々な変形例が考えられる。
【００３６】
例えば、電機子巻線ａ，ｂ，ｃのそれぞれの所定の位置に、タップ部および延在巻線の組み合わせを複数設けて、所望の出力電圧を得られるようにしても良い。
【００３７】
【発明の効果】
本発明によれば、三相電源と単相三線式電源とを始めから兼ね備えるように構成されているから、従来例の両電源を切り替えるための切り替えスイッチが不要であるとともに、両電源にとっての中性点および接地線は共通であるから、これに係る切り替えスイッチも不要になる。従って、電気配線が著しく簡素化され、コスト低減の効果がある。
【００３８】
また、三相電源からの三相交流電力と単相三線式電源からの単相交流電力とを同時に出力、すなわち、常時、三相と単相との出力を同時に利用したいという現場の要求に応えることができる。その結果、利用効率も増加するという効果が期待できる。
【００３９】
さらに、タップ部は、所定の位置を自由に設定でき、電機子延在巻線は所望の電機子巻線に同相または逆相に延長するように接続される結果、単相三線式電源の出力電圧を三相電源の出力電圧から独立させて自由に設定することが可能となるから、電圧仕様が多様な海外事情への対応が容易になるという効果も期待できる。
【図面の簡単な説明】
【図１】本発明の第１実施の形態に係る交流発電機の回路図である。
【図２】図１の交流発電機を駆動した時の各電機子巻線に発生する電圧の関係を示すベクトル図である。
【図３】本発明の第２実施の形態に係る交流発電機の回路図である。
【図４】図３の交流発電機を駆動した時の各電機子巻線に発生する電圧の関係を示すベクトル図である。
【図５】本発明の第３実施の形態に係る交流発電機の回路図である。
【図６】本発明の第４実施の形態に係る交流発電機の回路図である。
【図７】図６の交流発電機を駆動した時の各電機子巻線に発生する電圧の関係を示すベクトル図である。
【図８】本発明の第５実施の形態に係る交流発電機の回路図である。
【図９】図８の交流発電機を駆動した時の各電機子巻線に発生する電圧の関係を示すベクトル図である。
【図１０】交流発電機の従来例の回路図である。
【図１１】図１０の交流発電機の回路においてＷ１とＷ２と（実線で表された２つの同一方向（左向き）の電圧ベクトル）を直列に接続した場合に、交流発電機を駆動した時の各電機子巻線に発生する電圧の関係を示すベクトル図である。
【図１２】図１０の交流発電機の回路においてＷ１のみ逆相（破線の右向きの電圧ベクトル）に接続した場合に、交流発電機を駆動した時の各電機子巻線に発生する電圧の関係を示す他のベクトル図である。
【符号の説明】
ａ，ｂ，およびｃ　電機子巻線
Ｅａ，Ｅｂ，Ｅｃ　電圧ベクトル
Ｈ１，Ｈ２　タップ部
Ｌｅ　接地線
Ｏ　中性点
ｄ１，ｄ２　電機子延在巻線
Ｅａｂ　端子Ｒ・Ｓ間における隣接する相間の合成ベクトル
【図１】
2004072985.tif 000003
【図２】
2004072985.tif 000004
【図３】
2004072985.tif 000005
【図４】
2004072985.tif 000006
【図５】
2004072985.tif 000007
【図６】
2004072985.tif 000008
【図７】
2004072985.tif 000009
【図８】
2004072985.tif 000010
【図９】
2004072985.tif 000011
【図１０】
2004072985.tif 000012
【図１１】
2004072985.tif 000013
【図１２】
2004072985.tif 000014